(57)【要約】【課題】テストターミナルカバーにビニールテープを貼付してテストプラグの挿入禁止の目印とした従来の資源と労力の消費を回避し、簡単かつ確実にテストプラグ挿入についての表示及び非表示を繰り返し行うことが可能なテストターミナルカバーを提供する。【解決手段】ＰＴＴターミナル及びＣＴＴターミナルのテストプラグ受入口を被覆する被覆部、及び被覆部に設けられ、テストプラグ受入口に挿入されてテストターミナルと係止可能な脚部とを備えた、テストターミナルに着脱可能なテストターミナルカバーであって、被覆部は、メッセージの表示及び非表示を行う表示部と、表示部を動作可能に保持する固定部と、表示部と固定部とを、メッセージの表示を行う表示位置とメッセージの非表示を行う隠蔽位置とに選択的に係止する係止手段と、を有することを特徴とするテストターミナルカバーが得られた。【選択図】  図１
2007171750.tif 000002
【特許請求の範囲】
【請求項１】
ＰＴＴターミナル及びＣＴＴターミナルのテストプラグ受入口を被覆する被覆部、及び被覆部に設けられ、テストプラグ受入口に挿入されてテストターミナルと係止可能な脚部とを備えた、テストターミナルに着脱可能なテストターミナルカバーであって、
前記被覆部は、
メッセージの表示及び非表示を行う表示部と、
前記表示部を動作可能に保持する固定部と、
前記表示部と前記固定部とを、前記メッセージの表示を行う表示位置と前記メッセージの非表示を行う隠蔽位置とに選択的に係止する係止手段と、
を有することを特徴とするテストターミナルカバー。
【請求項２】
前記被覆部が矩形の平板状部材からなり、前記固定部が前記平板状部材の外周部に相当し、前記表示部が前記平板状部材の前記外周部以外の部分であり、かつ前記固定部により回動可能に軸支されていることを有することを特徴とする請求項１に記載のテストターミナルカバー。
【請求項３】
前記表示部の一方の面が、前記メッセージを表示するメッセージ表示面として構成され、前記隠蔽位置はメッセージ表示面が前記脚部側を向いて保持された位置であり、前記表示位置はメッセージ表示面が前記脚部とは反対側に向いて保持された位置であることを特徴とする請求項２に記載のテストターミナルカバー。
【請求項４】
前記係止手段が前記固定部及び／又は前記表示部に設けられ、前記表示部を表示位置又は隠蔽位置のいずれかに保持することを特徴とする請求項３に記載のテストターミナルカバー。
【請求項５】
前記固定部が矩形の平板状部材と、該平板状部材の一方の面側に設けられ、該一方の面と略平行に配置された表面を有する連結部材とからなり、前記表示部が、前記平板状部材と前記連結部材との間に移動可能に挿入されたプレートであり、前記脚部が平板状部材の他方の面側に設けられていることを特徴とする請求項１に記載のテストターミナルカバー。
【請求項６】
前記連結部材の表面が透明部分と不透明部分とを有し、前記隠蔽位置は、前記表示部が前記平板状部材と前記連結部材の前記不透明部分との間に存在する位置であり、前記表示位置は、前記表示部が前記平板状部材と前記連結部材の前記透明部分との間に存在する位置であることを特徴とする請求項５に記載のテストターミナルカバー。  
【請求項７】
前記係止手段が前記平板状部材に設けられ、前記表示部を前記連結部材の表面に押圧し、前記表示位置又は前記隠蔽位置のいずれかに保持することを特徴とする請求項６に記載のテストターミナルカバー。
【発明の詳細な説明】
【技術分野】
【０００１】
本発明は、変電所内配電盤等の継電器試験時に使用する計器用変流器テストターミナル（以下ＣＴＴターミナルと略称する）及び計器用変圧器テストターミナル（以下ＰＴＴターミナルと略称する）に不適当なテストプラグが挿入されることを回避するためのテストターミナルカバーに関する。
【背景技術】
【０００２】
変電所内配電盤等の継電器試験用には、一般に、図１０に示すようなテストプラグ１００が使用される。従来より使用されるテストプラグ１００は基部１０２から突出した絶縁板１０４に、上下に相互に絶縁された各一対の接触子１０６及び１０８が併設されている。そして、基部１０２の接触子１０６、１０８と反対側には同軸上に配設された端子１１０及び１１２が接続されている。
【０００３】
このようなテストプラグ１００により変電所内配電盤等の継電器試験を行うことを前提として、変圧器回路、変流器回路にＣＴＴターミナル又はＰＴＴターミナル２００が組み込まれている。そしてＣＴＴターミナル又はＰＴＴターミナル２００のテストプラグ受入口２０２にテストプラグ１００の接触子１０６及び１０８、すなわち挿入部１１４を挿入、係止することにより、挿入角度、挿入深さ等が一定とされ、テストターミナル２００との接触不良等が回避される。
【０００４】
そして、変圧器テストターミナルに変圧器テストプラグ（PTTプラグ）を、変流器テストターミナルに変流器テストプラグ（CTTプラグ）を挿入することにより、電圧、電流の測定が行われる。
【０００５】
配電盤等の各機器の測定及び試験を行うためには、所定のテストターミナルに、これに対応するテストプラグのみを挿入しなければならず、テストプラグの誤挿入が回避されなければならない。特に、機器を運転状態として計測作業を実施する場合には、目的外のテストターミナルに誤ってテストプラグを挿入すれば、機器の損傷、停電のみならず、作業員の安全性についても不都合が生ずる可能性がある。
【０００６】
このテストプラグの誤挿入を回避し、かつ、テストターミナル内へのダスト等の進入を阻止するために、試験が行われる場合以外には、テストターミナルのテストプラグ受入口２０２は、図１１に記載したようなテストターミナルカバー３００により閉鎖しておくことが一般的である。テストターミナルは1対の脚部５０２と、これに架設された被覆部３０４とから構成され、脚部５０２がテストターミナルのテストプラグ受入口２０２に挿入されるものである。すなわち、使用者がその被覆部３０４を保持して脚部５０２をテストターミナル２００のテストプラグ受入口２０２に挿入、係止させると、被覆部３０４によりテストターミナル２００のテストプラグ受入口２０２が覆い隠される。このようにテストプラグ受入口２０２が閉鎖されることにより、間違った箇所へテストプラグを誤挿入すること、及び非試験時のテストプラグの挿入が回避される。従って、テストターミナルカバー３００を使用することによって、作業の安全性が増し、機器の損傷が防止される。
【０００７】
このようなテストターミナルカバー３００の使用を更に効果的にするために、テストプラグの挿入禁止箇所又は作業対象外区画を明確に示す試みがなされている。配電盤等には多数のターミナルが設けられているため、作業員は検査対象のターミナルを明確に識別する必要がある。そして、検査対象のターミナルを認識しやすくするために、現状ではカバー３００の被覆部３０４の外表面にビニールテープを貼付し、作業の目印としている。作業員は、このような目印を手がかりに所定のターミナルカバーを抜き取り、テストプラグを挿入する。
【発明の開示】
【発明が解決しようとする課題】
【０００８】
しかしながら、この方法ではビニールテープの貼付に作業時間が必要とされ、かつ多量のビニールテープが消費されるため、時間と資源の無駄が生じる。更にビニールテープが長期にわたり貼付される場合等には、ビニールテープが剥がれ落ちる懸念や、古いテープのベタツキに手間取る事態も生ずる。また、使用後に除去したビニールテープを再使用することは、ほぼ不可能であり、再度挿入禁止を表示するためには新たなビニールテープを用いなければならず、資源の消費が増大する。
【０００９】
本発明は上記事情に鑑みてなされたものであり、上記従来の不具合を有さず、簡単かつ確実にテストプラグ挿入についての表示及び非表示を繰り返し行うことが可能なテストターミナルカバーを提供することをその目的とする。
【課題を解決するための手段】
【００１０】
上記目的を達成するため、請求項１のテストターミナルカバーは、ＰＴＴターミナル及びＣＴＴターミナルのテストプラグ受入口を被覆する被覆部、及び被覆部に設けられ、テストプラグ受入口に挿入されてテストターミナルと係止可能な脚部とを備えた、テストターミナルに着脱可能なテストターミナルカバーであって、被覆部は、メッセージの表示及び非表示を行う表示部と、表示部を動作可能に保持する固定部と、表示部と固定部とを、メッセージの表示を行う表示位置とメッセージの非表示を行う隠蔽位置とに選択的に係止する係止手段と、を有することを特徴とする。
【００１１】
このテストターミナルカバーによると、作業者に対してテストターミナルカバーの挿入等を禁止するメッセージを表示すること、及び非表示とすることが可能となり、かつ係止部により表示部の表示／非表示が作業者の意志とは無関係に偶発的に切り換わることが防止される。
【００１２】
請求項２のテストターミナルカバーによると、被覆部が矩形の平板状部材からなり、固定部が平板状部材の外周部に相当し、表示部が平板状部材の外周部以外の部分であり、かつ固定部により回動可能に軸支されていることを有することを特徴とする。
【００１３】
これにより、表示部が回転軸を中心に、外周部に包囲された部分にて、安定的に回動し、簡単な操作によりメッセージの表示／非表示を保持することが可能となる。
【００１４】
請求項３のテストターミナルカバーは、請求項２に記載のテストターミナルカバーにおいて表示部の一方の面が、メッセージを表示するメッセージ表示面として構成され、隠蔽位置はメッセージ表示面が脚部側を向いて保持された位置であり、表示位置はメッセージ表示面が脚部とは反対側に向いて保持された位置であることを特徴とする請求項２に記載のテストターミナルカバー。
【００１５】
上記構成により、メッセージの表示と非表示を簡単かつ明確に行うことができる。
【００１６】
請求項４のテストターミナルは、請求項３のテストターミナルにおいて係止手段が固定部及び／又は表示部に設けられ、表示部を表示位置又は隠蔽位置のいずれかに保持することを特徴とする。
【００１７】
これにより、係止手段を固定部及び／又は表示部と一体的に形成することができ、テストターミナル全体の構成が単純化され、簡単に使用することができる。
【００１８】
請求項５のテストターミナルは、固定部が矩形の平板状部材と、該平板状部材の一方の面側に、これと略平行に配置された表面を有する連結部材とからなり、表示部が平板状部材と連結部材との間に移動可能に挿入されたプレートであり、脚部が平板状部材の他方の面側に設けられていることを特徴とする。
【００１９】
上記構成によりと、表示部が平板状部材と連結部材との間で、安定的に移動し、簡単な操作によりメッセージの表示／非表示を保持することが可能となる。
【００２０】
請求項６のテストターミナルは、請求項５のターミナルカバーにおいて、連結部材の表面が透明部分と不透明部分とを有し、隠蔽位置は、表示部が平板状部材と連結部材の不透明部分との間に存在する位置であり、表示位置は、表示部が平板状部材と連結部材の透明部分との間に存在する位置であることを特徴とする。
【００２１】
上記構成により、メッセージの表示と非表示を簡単かつ明確に行うことができる。
【００２２】
請求項７のテストターミナルカバーは、請求項６のテストターミナルカバーにおいて係止手段が平板状部材に設けられ、表示部を連結部材の表面に押圧し、表示位置又は隠蔽位置のいずれかに保持することを特徴とする。
【００２３】
上記構成により、プレート状の表示部を連結部材の表面に対して安定的に保持することが可能となる。
【発明の効果】
【００２４】
本発明のテストターミナルカバーは、テストターミナルカバーを被覆する被覆部に表示部を有し、使用者に対してメッセージを表示し、メッセージ不要時にはこれを表示しないことが選択可能であり、必要に応じた明確な表示が安定的に行われる。更に本発明のテストターミナルカバーは、構成が簡単であり、使用も容易であることから、配電盤上の作業中にわずらわしい操作を付加することなく表示／非表示の選択及び保持とターミナルカバーの抜き差しを、簡単に行うことができる。
【発明を実施するための最良の形態】
【００２５】
本発明の実施の形態を図１〜図９を参照しつつ説明する。尚、各図中、同一部材には同一符号を用い、重複する説明は省略する。
【００２６】
［第一の実施の形態］
図１（ａ）は本発明の第一の実施の形態によるテストターミナルカバーの上面図であり、図１（ｂ）はその正面図である。
【００２７】
図１（ａ）に示すように、本発明のテストターミナルカバー１は、矩形平板状の被覆部３と、被覆部３の一方の面の長手方向両端部に設けられた一対の脚部５とを有している。被覆部３は矩形の平板状部材から構成され、テストターミナルのテストプラグ受入口を全体に覆うことが可能な寸法とされている。一方、脚部５はその材料と形状から弾性を有するように構成され、テストターミナルのテストプラグ受入口に挿入されると、受入口の左右の壁面に対して係止するようにされている。このため、テストプラグ受入口に脚部５が深く挿入され嵌合すると、被覆部３がテストプラグ受入口を閉塞する。
【００２８】
被覆部３を構成する平板状部材は、一般に合成樹脂から製造される。被覆部３と脚部５とを同一材料により一体的に製造することが可能である。
【００２９】
ターミナルカバー１の矩形平板状の被覆部３は、図１（ｂ）に示すように平板の外周部に相当し固定的かつ非可動の外周部（固定部）３ａと、外周部３ａに包囲された可動の表示部３ｂ（外周部以外の部分）とを含む。図１（ｂ）では、表示部３ｂと、外周部３ａとは同一の厚さを有し、外周部３ａの表面に対して表示部３ｂが面一にはめ込まれている。表示部３ｂの一方の面（表面）には「挿入禁止」の文字が記載されており、他方の面（裏面）は表示が施されていない。
【００３０】
表示部３ｂは外周部３ａの長手方向ほぼ中央部に設けられた軸部７で軸支されており、これを中心に回動する。更に表示部３ｂと外周部３ａには、後述の凹部９ａと凸部９ｂとから成る係止手段９が設けられ、表示部３ｂの回動を阻止し、表示部３ｂが外周部３ａと面一となる位置で静止状態に係止可能としている。
【００３１】
テストターミナルにテストプラグを挿入するべきではない場合には、表示部３ｂの「挿入禁止」と書かれた表面側が被覆部３の正面側（脚部５とは反対側）、すなわち図１に示されるように被覆部３を挿入する作業者の視界に入り易い側に向けて保持する。そして表示部３ｂが不用意な回動を行わず外周部３ａ内に維持されるように係止手段９が表示部３ｂと外周部３ｂとを係止する。この場合、表示部３ｂは表示位置に保たれ、使用者に「挿入禁止」のメッセージを表示する役割を果たすことになる。
【００３２】
図２（ａ）及び図２（ｂ）はテストターミナルカバー１の表示部３ｂの回動を説明するための上面図及び正面図である。
【００３３】
図２（ａ）に示した上面図において、表示部３ｂは軸部７を中心に矢印Ａ方向に回転し、外周部３ａに対して所定角度を成している。そして、表示部３ｂを回動可能とするため、脚部５は被覆部３背面側の非可動の外周部３ａ上に設けられている。
【００３４】
図１（ｂ）で示した状態では「挿入禁止」のメッセージが記載された面がターミナルカバー１の正面を向いていたが、例えば該当するテストターミナルにおいて測定及び試験を行うことが可能とされた場合等、挿入禁止状態が解除されたことを示す場合には、表示部３ｂのメッセージを有さない面（非表示面）をテストターミナルカバー１の正面側に向ける必要がある。このように表示部３ｂを回転させるためには、作業者が、表示部３ｂの軸部７の例えば右側を手動で押圧する。これにより、表示部３ｂに軸部７を中心とする回転力が付与され、「挿入禁止」の文字の記載された表面が、図２（ａ）及び図２（ｂ）で示した状態を経て、図徐々に脚部５側に回転し、文字表示のない裏面がテストターミナルカバー１の正面側に向くようになる。そして後述の凹部９ａと凸部９ｂとから成る係止手段９により外周部３ａと表示部３ｂとが面一な状態に保持される。これにより、表示部３ｂは隠蔽位置に保持され、「挿入禁止」のメッセージは使用者から読み取れない。
【００３５】
図２（ｃ）に係止手段の概念図を示す。表示部３ｂが接する外周部３ａの両側部内側には図２（ｂ）に破線で示したような凹部９ａが形成され、これに対応する表示部３ｂの両側部には凸部９ｂが設けられている。凹部９ａと凸部９ｂとは相互に係止可能な形状とされて係止手段９を構成している。図２（ｂ）の場合とは反対に、凹部９ａを表示部３ｂに形成し、凸部９ｂを固定部３ａに形成してもよい。
【００３６】
凹部９ａと凸部９ｂとを係合させることにより、外周部３ａと表示部３ｂとの係止が行われて、表示部３ｂの回転が阻止される。これにより「挿入禁止」の文字の記載された表面をカバー１の正面側又は背面側に保持することが可能となる。
【００３７】
表示部３ｂの回転が停止して、係止手段９により固定部３ａと表示部３ｂが係止すると、ターミナルよりターミナルカバー１を抜き出したまま他の作業をする場合など、ターミナルカバー１が作業者の手を離れた間に、作業者の意志とは無関係に表示部３ｂが回転してメッセージの表示／非表示が入れ変わる等の不具合の発生が回避される。
【００３８】
［第二の実施の形態］
図３（ａ）は本発明の第二の実施の形態によるテストターミナルカバーの上面図であり、図３（ｂ）はその正面図である。
【００３９】
第二の実施の形態によるテストターミナルカバー１は、図３（ａ）に示したとおり、被覆部３と、一対の脚部５とを有する。そして、図３（ｂ）に示すように、平板状の被覆部は、平板の外周部分に相当する非可動の外周部（固定部）３ａと、外周部３ａに包囲された可動の表示部３ｂ（外周部以外の部分）とを含む。図３（ｂ）では、表示部３ｂの一方の面（表面）には「挿入禁止」の文字が記載されており、他方の面（裏面）は表示が施されていない。
【００４０】
表示部３ｂは外周部３ａの幅方向ほぼ中央部に設けられた軸部７で軸支されており、これを中心に回動する。テストターミナルにテストプラグを挿入するべきではない場合には、表示部３ｂの「挿入禁止」と書かれた表面側が被覆部３の正面側（脚部５とは反対側）に表示される。そして後述の凹部９ａと凸部９ｂとから成る係止手段９により表示部３ｂを外周部３ａの内部に保持する。この場合、表示部３ｂは表示位置に保持され、使用者にメッセージを表示する。
【００４１】
図４（ａ）及び図４（ｂ）はテストターミナルカバー１の表示部３ｂの回動を説明するため上面図及び正面図である。
【００４２】
図４（ａ）に示した上面図において、表示部３ｂは軸部７を中心に、被覆部３の表面／裏面に対して前方又は後方に倒伏するように回転し、外周部３ａと表示部３ｂの各表面が相互にほぼ直角を成している。そして、表示部３ｂを回動可能とするため、脚部５は非可動の外周部３ａの長手方向両端部に設けられている。
【００４３】
計測を行うことが可能とされたテストターミナルにおいて、挿入禁止状態が解除されたことを示す場合には、表示部３ｂのメッセージを有さない面（非表示面）をテストターミナルカバー１の正面に向ける必要がある。このように表示部３ｂを回転させるためには、例えば図３（ｂ）に示された状態の表示部３ｂの軸部７の上側を作業者が手動で押圧する。これにより、表示部３ｂに軸部７を中心とする回転力が付与され、「挿入禁止」の文字の記載された表面が図４（ａ）及び図４（ｂ）で示した状態を経て徐々に脚部５側に回転し、文字表示のない裏面がテストターミナルカバー１の正面側に向くようになる。そして凹部９ａと凸部９ｂとから成る係止手段９により外周部３ａと表示部３ｂとが面一な状態に係止する。これにより、表示部３ｂは隠蔽位置に保持され、「挿入禁止」のメッセージは使用者から読み取れない。
【００４４】
図４（ｃ）に係止手段の概念図を示す。表示部３ｂが接する外周部３ａの長手方向に延在する部分の内側中央部には破線で示したような凹部９ａが形成され、これに対応する表示部３ｂの長手方向内側中央部には凸部９ｂが設けられている。凹部９ａと凸部９ｂとは相互に係止可能な形状とされて係止手段９を構成している。図４（ｂ）の場合とは反対に、凹部９ａを表示部３ｂに形成し、凸部９ｂを固定部３ａに形成してもよい。また、凹部９ａ及び凸部９ｂは固定部３ａ及び表示部３ｂの成形時に同時に一体的に設けると製造が簡素化される。この他、凸部９ｂを別部材として取り付け、凹部９ａを成形後に穿設する等、製造の形態は適宜選択可能である。
【００４５】
凹部９ａと凸部９ｂとを係合させることにより、表示部３ｂの回転が阻止され、ターミナルよりターミナルカバー１を抜き出したまま他の作業をする場合など、ターミナルカバー１が作業者の手を離れた間に、作業者の意志とは無関係に表示部３ｂが回転してメッセージの表示／非表示が入れ変わる等の不具合の発生が回避される。
【００４６】
［第三の実施の形態］
図５は本発明の第三の実施の形態によるテストターミナルカバーの斜視図である。
【００４７】
図５に示すように、本発明のテストターミナルカバー１０は被覆部１３と一対の脚部１５とを有している。被覆部１３はテストターミナルのテストプラグ受入口を全体に覆うことが可能な寸法とされている。
【００４８】
本実施の形態において、被覆部１３は矩形の平板状部材１７と、連結部材１９とから構成される。そして平板状部材１７は、一方の面に連結部材１９を、他方の面に一対の脚部１５を有している。
【００４９】
第一及び第二の実施の形態と同様に、脚部１５は所定の弾性を有しテストプラグ受入口の左右の壁面に係止可能とされている。このため、テストプラグ受入口に脚部１５が深く挿入されると、被覆部１３がテストプラグ受入口を閉塞する。
【００５０】
被覆部１３の一部である平板状部材１７は、一般に合成樹脂から製造される。平板状部材１７と脚部１５とを同一材料により一体的に製造することが可能である。
【００５１】
連結部材１９は箱型の形態を有し、その表面１９Ａには、透明な表示箇所１９aと、不透明な隠蔽箇所１９ｂとが上下に設けられている。表面１９Ａは、平板状部材１７の前面（垂直面）に略平行に設けられた平坦面として形成されている。更に、平板状部材１７と連結部材１９の上述の略平行な２枚の面の間には、これらと略平行にプレート状の表示部２０が挿入されている。
【００５２】
図６は本発明のテストターミナルカバー１０の分解斜視図である。
【００５３】
図６では、平板状部材１７は本体１７ａと本体カバー１７ｂとに分割されている。平板状部材本体１７ａの一方の面側には、上述の連結部材１９が設けられており、平板状部材本体１７ａの他方の面側には一対の脚部１５が設けられている。本体カバー１７ｂと連結部材１９とを、平板状部材本体１７ａを包み込んで相互に付き合わせることにより、図７に示したテストターミナルカバー１０が構成される。
【００５４】
平板状部材本体１７ａと連結部材１９との間には、平板状部材１７ａとほぼ同様の幅を有し、その半分程度の高さを有するプレート状の表示部２０が挿入される。表示部２０は連結部材１９に対向する一方の面（表面）に「挿入禁止」の文字を有し、他方の面（裏面）は表示が施されていない。
【００５５】
更に、本発明のテストターミナルカバー１０は、表示部２０を係止するための係止手段２２を有している。係止手段２２は板状本体部１７ａの両側面に設けられた突起２２ａと、これと係合する一対のアーム部２２ｂとから成る。アーム部２２ｂは突起２２ａと係合した状態で連結部材１９と本体カバー１７ｂとに挟装されるため、テストターミナルカバー１０の組み立て状態では安定的に保持される。
【００５６】
尚、後に詳述する係止手段の動作を可能とするため、本体カバー１７ｂは弾性材料で構成されると好ましい。
【００５７】
係止手段２２におけるアーム部２２ｂは一方端部付近に２つの溝２２ｃ及び２２ｄを有し、これら双方の溝が板状部材本体部１７ａ上の突起２２ａと係合可能な形状、寸法とされている。更に、アーム部２２ｂは他方の端部に保持部２２ｅを有し、プレート状の表示部２０を連結部材１９の表面１９Ａとの間に挟み込むことにより係止し、表示部２０の移動を阻止する。また、係止手段２２の係止を解除すると、プレート状表示部２０が連結部材１９と板状本体部１７ａの間で、透明の表示箇所１９aと、不透明の隠蔽箇所１９ｂのいずれかの裏面に移動することが可能となり、プレート状のメッセージの表示、非表示が選択可能となる。
【００５８】
本体カバー１７ｂは両側壁内部に凹部１７ｃを有し、連結部材１９は両側壁に窓部１９ｃを有しているため、係止部材２２を突起１７ｃに係合させ、連結部材１９と本体カバー１７ｂを組み合わせると、窓部１９ｃを介して係止部材２２を操作することが可能となる。尚、係止部材２２は側面にひだ状部２２ｆを有し、使用者の操作を容易としている。
【００５９】
係止手段について、図７〜９を用いて更に詳細に説明する。図７は、係止手段を説明するための本発明のテストターミナルカバー１０の部分図であり、図８はそのＩ−Ｉ断面図、図９はＩＩ−ＩＩ断面図である。
【００６０】
図７において、テストターミナルカバー１０は透明の表示箇所１９aを上方に、不透明の隠蔽箇所１９ｂを下方とする方向で載置されている。表示部２０は隠蔽箇所１９ｂの背後に配置されているため、同図には示されていない。
【００６１】
テストターミナルカバー１はこの状態から上下方向を逆にしてもテストターミナルに挿入することができる。このため、テストターミナルカバー１０にメッセージの表示が必要となった場合には、テストターミナルカバー１０の上下を一旦逆とし、プレート状表示部２０を透明の表示箇所１９aの裏面に移動させる。
【００６２】
これにより表示部２０は文字表示が逆転した状態で表示位置に配置される。ここで、係止手段２２により表示部２０を連結部材１９に押圧すると、表示部２０が透明な表示箇所１９aの裏面にて係止される。表示部２０を係止させた後は、元の上下方向、すなわち図７に示された載置位置に戻す。この時の表示部２０は文字表示が上下方向に正しく行われており、表示部２０は表面１９Ａの上方に存在する透明の表示箇所１９aに係止され、下方の不透明の隠蔽箇所１９ｂに落下することはない。従って、図７に示された方向のテストターミナルカバー１０をテストターミナルに装着すると、表面１９Ａの表示箇所１９aに「挿入禁止」の文字が示され、使用者に注意を促すことができる。
【００６３】
図８ではアーム２２ｂの先端に設けられた保持部２２ｅがプレート状の表示部２０の上端を保持した様子が描かれており、この状態では、テストターミナルカバーの上下が逆にされたとしても表示部２０は隠蔽箇所１９ｂに保持され、メッセージは非表示となる。係止手段２２は表示箇所１９aと隠蔽箇所１９ｂとを隔てる境界上に設けられるため、左右一対の係止手段２２により表示位置、隠蔽位置のいずれにも表示部２０を保持することが可能である。
【００６４】
表示部２０を表面１９Ａに押圧するためには、図９の実線で示されるように、アーム２２ｂを表面１９Ａ側に引き出し、突起２２ａと、表面１９Ａに対して後方に配置された一対の溝２２ｄとを係合させる。この操作を行う場合、テストターミナルカバー１０の使用者がアーム２２ｂのひだ状部２２ｆを利用して表面１９Ａ方向の力を加えることにより一対の突起２２ａを一対の溝２２ｄと係合させることが可能となる。
【００６５】
また、表示部２０を隠蔽位置から表示位置へ、又は表示位置から隠蔽位置へと移動させる必要が生じた場合、アーム２２ｂを平板状部材本体１７ａの方向に押し込み、一対の突起２２ａと、表面１９Ａに対して前方に配置された一対の溝２２ｃとを係合させる。これにより、係止部材２２ｂは図９の仮想線により描かれた位置に後退し、表示部２０は係止部材２２ｂによる係止から開放される。そして、表示部２０は表示箇所１９aと隠蔽箇所１９ｂとの間を移動することが可能となる。
【００６６】
このように、本発明の固定部と可動の表示部とを有するターミナルカバーは、メッセージの表示と非表示を行うことが可能であり、表示／非表示の切り換えも手作業により簡単かつ即時に行うことできるため、電気機器測定等の作業中にもわずらわしい作業が増加することもない。また、係止部が設けられていることにより、メッセージの表示／非表示が偶発的に切り換わる危惧を回避できるため、作業途中などでターミナルカバー１０の表示に常に細心の注意を払うことが不要である。
【００６７】
なお、本発明は、上記実施の形態に限定されることなく、発明の趣旨を逸脱しない範囲で種々変更可能である。例えば、表示部に表示されるメッセージは「挿入禁止」以外の文言を使用することも、視認しやすい配色による表示を行うことも可能である。また、回動する表示部の係止手段としては、固定部又は表示部のいずれかに設けられたストッパー等とすることも可能である。
【図面の簡単な説明】
【００６８】
【図１】本発明の第一の実施の形態に係るテストターミナルカバーの図である。
【図２】本発明の第一の実施の形態に係るテストターミナルカバーの表示部の回動及び係止を説明するための図である。
【図３】本発明の第二の実施の形態に係るテストターミナルカバーの図である。
【図４】本発明の第二の実施の形態に係るテストターミナルカバーの表示部の回動及び係止を説明するための図である。
【図５】本発明の第三の実施の形態に係るテストターミナルカバーの斜視図である。
【図６】本発明の第三の実施の形態に係るテストターミナルカバーの分解斜視図である。
【図７】本発明の第三の実施の形態に用いられる係止手段を説明するための図である。
【図８】図７のＩ−Ｉ線断面図である。
【図９】図７のＩＩ−ＩＩ断面図である。
【図１０】テストプラグ及びテストターミナルを説明するための図である。
【図１１】従来のテストターミナルカバーの斜視図である。
【符号の説明】
【００６９】
１、１０．．．テストターミナルカバー
３ａ、１３．．．固定部
３ｂ、２０．．．表示部
５、１５．．．脚部
７．．．軸部
９、２２．．．係止手段
【図１】
2007171750.tif 000003
【図２】
2007171750.tif 000004
【図３】
2007171750.tif 000005
【図４】
2007171750.tif 000006
【図５】
2007171750.tif 000007
【図６】
2007171750.tif 000008
【図７】
2007171750.tif 000009
【図８】
2007171750.tif 000010
【図９】
2007171750.tif 000011
【図１０】
2007171750.tif 000012
【図１１】
2007171750.tif 000013